(57)【要約】 【課題】  湿式筆記具において、筆記液貯蔵手段の配置を最適化する。【解決手段】  毛管ペン先（３２）を保持する軸（３０）、および軸（３０）に取り外し可能に取り付けることができる、毛管ペン先（３２）を保護するための密閉キャップ（１０）を備える湿式筆記具において、密閉キャップ（１０）の端部（１０ａ）から離間した密閉キャップ（１０）内の位置に、軸（３０）を収容するためのキャップ入口開口部（１０ｄ）に対し液体貯蔵手段（１２）の範囲を規定し、密閉キャップ（１０）を軸（３０）に取り付けたとき、毛管ペン先（３２）が、筆記液貯蔵手段（１２）に貯蔵されている筆記液に接触して、筆記液を誘引することができる穴（１０ｆ）を有する分離壁（１０ｅ）を設けることにより、密閉キャップ（１０）内にも筆記液貯蔵手段を設ける。【選択図】          図３
2004338374.tif 000002
【特許請求の範囲】
【請求項１】
毛管ペン先（３２）を保持する軸（３０）、および該軸（３０）に取り外し可能に取り付けることができる、前記ペン先（３２）を保護するための密閉キャップ（１０）を有する湿式筆記具であって、前記密閉キャップ（１０）内に筆記液を収容する筆記液貯蔵手段（１２）を備えることを特徴とする筆記具。
【請求項２】
前記密閉キャップ（１０）の端部（１０ａ）から離間した前記密閉キャップ（１０）内の位置に、前記軸（３０）を収容するためのキャップ入口開口部（１０ｄ）に対し前記液体貯蔵手段（１２）を画成し、前記密閉キャップ（１０）を前記軸（３０）に取り付けたとき、前記毛管ペン先（３２）が前記筆記液貯蔵手段（１２）に貯蔵されている筆記液に接触して該筆記液を誘引することができる穴（１０ｆ）を有する分離壁（１０ｅ）を備えることを特徴とする請求項１記載の筆記具。
【請求項３】
前記密閉キャップ（１０）内の前記筆記液貯蔵手段（１２）の毛管作用が、前記毛管ペン先（３２）より小さいことを特徴とする請求項１または２記載の筆記具。
【請求項４】
前記軸（３０）に別の筆記液貯蔵手段（３４）が設けられることを特徴とする請求項１〜３いずれか１項記載の筆記具。
【請求項５】
前記軸（３０）内に設けられる筆記液貯蔵手段（３４）の毛管作用が、前記毛管ペン先（３２）より小さく、前記密閉キャップ（１０）内の前記筆記液貯蔵手段（１２）より大きいことを特徴とする請求項４記載の筆記具。
【請求項６】
前記軸（３０）内に設けられる前記筆記液貯蔵手段（３４）が、前記毛管ペン先（３２）を適切に保持する防護壁（３０ｄ）によって外部から遮断されることを特徴とする請求項４または５記載の筆記具。
【請求項７】
前記密閉キャップ（１０）および/または前記軸（３０）内に設けられる前記筆記液貯蔵手段（１２、３４）がスポンジ材料または繊維材料から成ることを特徴とする請求項１〜６いずれか１項記載の筆記具。
【請求項８】
前記密閉キャップ（１０）内に設けられる分離壁（１０ｅ）および/または前記軸（３０）に設けられる前記防護壁（３０ｄ）が、超音波溶接によって、それぞれ前記密閉キャップ（１０）または前記軸（３０）に液体封止可能に取り付けられることを特徴とする請求項１〜７いずれか１項記載の筆記具。
【請求項９】
前記毛管ペン先（３２）が斜角を有する楔形構造体であることを特徴とする請求項１〜８いずれか１項記載の筆記具。
【発明の詳細な説明】
【技術分野】
【０００１】
本発明は請求項１の前文に記載の湿式筆記具に関するものである。
【背景技術】
【０００２】
前記のような湿式筆記具には、例えば、印刷文書を読み易くするように、マーキング用蛍光液で印を付けるためのマーカーと呼ばれるものがある。毛管ペン先が乾燥するのを防止するため、使用しないときは、密閉キャップをマーカーの軸に取り付けてペン先を周囲の空気に晒されないようにすることができる。
【０００３】
前記のような筆記具は製造コストが高いので、最初に充填した筆記液が消耗したとき止むを得ず廃棄してしまうのではなく、筆記液を補充できることが望ましい。そのために、様々な方式が実際に導入されている。例えば、軸に液体封止可能に閉鎖できる補充用開口部を有する筆記具が知られている。しかし、この方式は、補充用開口部と対応する封止要素とを繰返し、切離し可能に接続するシールを必要とするため比較的高価である。別の方式では、筆記液貯蔵タンクが設けられ、タンク内の液がペン先から筆記具内部に圧入される。この場合、筆記液が強制的に充填されるため、筆記具の貯蔵手段が過剰に充填され、充填後の当初、筆記液が過剰に放出されることが度々ある。
【０００４】
筆記具に筆記液を補充できる可能性がある一方、筆記具の貯蔵手段の容量を増大する試みも可能である。しかし、かかる試みは、往々にして、この種の筆記具は過度に太くおよび/または長くしてはならないという設計上の課題に突き当たる。
【発明の開示】
【発明が解決しようとする課題】
【０００５】
本発明の目的は、本明細書の冒頭で述べた種類の湿式筆記具において、大貯蔵容量および/または筆記具の設計を考慮し、前記筆記液貯蔵手段の配置を最適化することである。
【課題を解決するための手段】
【０００６】
前記の目的は請求項１の機能によって達成され、好ましい実施の形態は、請求項１に続く請求項２〜９に記載されている。
【０００７】
筆記液貯蔵手段を少なくとも部分的に収容できる未使用空間がある範囲で、密閉キャップ内に筆記液貯蔵手段を設けることにより、一般に、例えば、設計上の理由から、大きな容積を有する密閉キャップを有効に利用することができる。また、ペン先が密閉キャップ内に設けられる筆記液貯蔵手段に直接触れることができるため、ペン先に筆記液が程好く満たされる。また、前記構成の筆記具は、機械製造することができるので安価である。更に、比較的大きいまたは長い軸と、比較的小さい密閉キャップとに分割される既存の筆記具における割合を変更して、密閉キャップと軸との寸法比を１：１または２：１等にしても差支えない。空になった筆記液貯蔵手段を有する密閉キャップを、筆記液が充満している筆記液貯蔵手段を有する新しい密閉キャップと単に交換するか、または毛管ペン先が密閉キャップ内の前記貯蔵手段に接触する場所が利用し易いため、そこを介して筆記液を補充することにより、湿式筆記具に筆記液を補充することができる。
【０００８】
前記液体貯蔵手段は様々な方法で密閉キャップ内に設けることができる。本発明の好ましい実施の形態によれば、密閉キャップの端部から離間した密閉キャップ内の位置に、軸を収容するためのキャップ入口開口部に対し液体貯蔵手段を画成する分離壁が設けられる。前記分離壁には、前記密閉キャップを軸に取り付けたとき、毛管ペン先が前記筆記液貯蔵手段に貯蔵されている筆記液に接触して前記筆記液を誘引することができる穴が設けられている。これにより、埃の粒子が前記筆記液貯蔵手段に混入するのが防止される。また、筆記液貯蔵手段の個々の構成によるが、密閉キャップ内の貯蔵手段に最初に充填した筆記液が完全に消耗したとき、前記毛管ペン先を収容するための穴を筆記液補充用開口部として使用することができる。
【０００９】
筆記液が前記密閉キャップ内の筆記液貯蔵手段から毛管ペン先に移動するのを容易にするため、密閉キャップ内の貯蔵手段における毛管現象、即ち毛管作用が、前記毛管ペン先より小さく、また軸に形成可能な別の貯蔵手段よりも小さいことが好ましい。
【００１０】
前記筆記具の貯蔵容量を更に増大するため、別の、即ち第二筆記液貯蔵手段を前記軸内部に設けることができる。この様にして、実質的にすべての未使用空間を筆記液貯蔵手段として有効に利用することができる。
【００１１】
この点において、前記軸内に設ける筆記液貯蔵手段の毛管作用は、前記毛管ペン先より小さく、前記密閉キャップ内の筆記液貯蔵手段より大きいことが好ましい。
【００１２】
また、この場合、前記軸内に備える筆記液貯蔵手段を、例えば、周囲の埃粒子が混入する被害から保護するため、前記毛管ペン先を適切に保持する防護壁によって外部から遮断することができる。
【００１３】
前記密閉キャップおよび/または軸内の筆記液貯蔵手段はスポンジ材料または繊維材料で形成することができる。また、その他適切な材料を使用しても差支えない。
【００１４】
本発明の湿式筆記具は、前記キャップ内の分離壁および/または軸の防護壁を超音波溶接によって、前記キャップまたは軸に液体封止可能に取り付けることにより、特に安価に製造することができる。
【発明を実施するための最良の形態】
【００１５】
以下、図面を参照しながら本発明の湿式筆記具の好ましい実施の形態について説明する。以下の具体的な実施の形態の説明において、「左」、「右」、「下」、「上」という用語は、参照符号が普通に読める位置から図面を見た場合の方向を意味する。
【００１６】
図１〜３に示す側面から見た本発明の湿式筆記具Ｓは、外形が２つの二等辺三角形の先端を切断した凧形四角形である。前記２つの切断線は互いに平行であり、湿式筆記具Ｓの長手方向の中心線に対し実質的に直角に延びている。図示しないが、図１〜３の面に対し垂直方向の湿式筆記具Ｓの厚さは、図の平面上の湿式筆記具Ｓの長手方向の寸法よりはるかに小さい。図１〜３が示すように、湿式筆記具Ｓの角はすべて面取りが施されている。
【００１７】
本発明の湿式筆記具Ｓは、主要構成部品として密閉キャップ１０および軸３０を備えている。密閉キャップ１０は液漏れしないよう軸にぴたりと収まり、できる限りラッチ式であり、取外し可能であることが好ましい。図１において、湿式筆記具Ｓの長手方向に対し実質的に直角に延びる密閉キャップ１０と軸３０との間の分離接合部が参照符号２０で示してある。分離接合部は前記凧形四角形を有する２つの三角形に共通するベースに存在せず、密閉キャップ１０の領域に存在していることが分かる。
【００１８】
適切なプラスチック材料から成る密閉キャップ１０は、密閉キャップ１０および湿式筆記具Ｓの長手方向の中心線に対し実質的に直角に延びる端部１０ａ、および端部１０ａと直接繋がっている側壁１０ｂを有し、これらによって中空スペース１０ｃが画成すなわち形成される。端部１０ａの反対側、即ち、密閉キャップ１０の右側には、密閉キャップ１０を軸３０に取り付けるための挿入開口部１０ｄが設けられている。
【００１９】
挿入開口部１０ｄから離間した中空スペース１０ｃ内の位置に密閉キャップ１０または湿式筆記具Ｓの長手方向に対し実質的に直角に延びる、従って端部１０ａと平行な分離壁１０ｅが設けられている。
【００２０】
図２示すように、挿入開口部１０ｄから分離壁１０ｅまでの密閉キャップ１０の長手方向の間隔は、密閉キャップ１０の端部１０ａからの間隔よりはるかに小さい。図２および３では、分離壁１０ｅが側壁１０ｂと同一構成要素のように示してあるが、実際には独立した部品であり、本発明の湿式筆記具Ｓの製造段階において、後で詳細に説明する筆記液貯蔵手段１２を収容した後に密閉キャップ１０に収められ、超音波溶接によって密閉キャップ１０の側壁１０ｂに取り付けられる。
【００２１】
分離壁１０ｅは密閉キャップ１０または軸３０の長手方向の軸に対し同心円状に配され、形状および寸法が後で詳細に説明する軸３０のペン先領域３２の外形に対応する穴１０ｆを有している。穴１０ｆは、穴１０ｆを画成する分離壁１０ｅの縁を折り曲げることにより、密閉キャップ１０の端部１０ａの方向、即ち左方向に画成される。
【００２２】
密閉キャップ１０の内部には、筆記液を収容貯蔵するための第一筆記液貯蔵手段１２が設けられている。本発明の好ましい実施の形態では、筆記液貯蔵手段１２は繊維材料で形成されている。図２および３が示すように、筆記液貯蔵手段１２は密閉キャップ１０の端部１０ａおよび分離壁１０ｅからそれぞれ間隔を設けて配置されている。前記２つの間隔を設けるのは任意であり、両方または片方を設けなくてもよい。また、筆記液貯蔵手段１２は密閉キャップ１０の中空スペース１０ｃの形状に合わせて形成されている。
【００２３】
適切なプラスチック材料、特に密閉キャップ１０と同じプラスチック材料で形成されるか、または形成することができる軸３０も、軸３０の長手方向の中心線に対し実質的に直角に延びる端部３０ａ、および端部３０ａに直接繋がる側壁３０ｂを有し、これらによって中空スペース３０ｃが画成すなわち形成される。軸３０の端部３０ａの反対側に、超音波溶接によって軸３０の側壁３０ｂに接続されている防護壁３０ｄが設けられている。
【００２４】
特に図３が示すように、防護壁３０ｄは側壁が内側に窪んだ円錐形を成し、軸３０または密閉キャップ１０の長手方向の軸に対し同心円状に配された円形開口部３０ｅを有している。図３に示すように、開口部３０ｅの外径は密閉キャップ１０の穴１０ｆの内径と実質的に一致するので、密閉キャップ１０を軸３０に取り付けたとき、開口部３０ｅを画成する防護壁３０ｄの一部が穴１０ｆに収まることができ、互いが密封接続される。
【００２５】
図３に示すように、開口部３０ｅに収められているのが、左下から右上に斜めに切断された楔形構造の毛管ペン先３２である。毛管ペン先３２は開口部３０ｅから密閉キャップ１０の方向に突出している。従って、密閉キャップ１０を取り付けたとき、毛管ペン先３２は、毛管ペン先３２に対応する形状を有する密閉キャップ１０の筆記液貯蔵手段１２の窪み１２ａに収まり液を誘引することができる。
【００２６】
また、図３が示すように、第二筆記液貯蔵手段３４が、端部３０ａおよび防護壁３０ｄからそれぞれ間隔を設けて、中空スペース３０ｃ内に設けられている。また、筆記液貯蔵手段３４は軸３０の形状に合わせて形成されている。
【００２７】
筆記液貯蔵手段３４は、毛管ペン先３２の筆記液誘引要素３２ａおよび３２ｂを介して毛管ペン先３２に通じ、筆記液が毛管ペン先３２に誘引される。第二筆記液貯蔵手段３４の毛管作用は毛管ペン先３２より小さく、密閉キャップ１０内の第一筆記液貯蔵手段より大きい。前記に伴い、密閉キャップ１０を軸３０に取り付けたとき、第一貯蔵手段１２と毛管ペン先との毛管作用の違い、並びに第一および第二貯蔵手段１２と３４との毛管作用の違いにより、第一筆記液貯蔵手段１２内の筆記液が明らかに第一筆記液貯蔵手段１２から毛管ペン先３２に伝わるが、第二貯蔵手段３４には伝わらない。密閉キャップ１０を軸３０から取り外すと、毛管ペン先３２と第二貯蔵手段３４との毛管作用の違いにより、筆記液が貯蔵手段３４から毛管ペン先３２に伝わる。
【００２８】
これに関連し、第一筆記液貯蔵手段に筆記液を充填する際、密閉キャップ１０を横に寝かせた状態で行うことが好ましい。また、密閉キャップ１０が好ましくない位置にあるとき、第一筆記液貯蔵手段１２から筆記液が流出するのを防止するため、密閉キャップ１０および/または貯蔵手段１２がコンパクトであることが好ましい。
【００２９】
異なる色の多くの湿式筆記具Ｓに前記密閉キャップ内筆記液貯蔵手段１２を設けることが特に好ましい。第二筆記液貯蔵手段３４からひとつの色が供給される本発明の湿式筆記具Ｓの毛管ペン先３２を別の色を有する密閉キャップに“浸す”と、前記２つの色を混ぜることができる。毛管ペン先３２が取り込む筆記液の量は、密閉キャップ１０が軸３０、即ち毛管ペン先３２に取り付けられている時間に比例するので、色の混合具合を調整することができる。最後に補充された筆記液が高濃度でペン先３２に含まれているので、ペン先３２が空になり、第二貯蔵手段３４から筆記液が浸透する際に筆記液の色を変化させることができる。
【図面の簡単な説明】
【００３０】
【図１】本発明の湿式筆記具を示す側面図。
【図２】密閉キャップの断面を示す図１と同様の図。
【図３】軸の断面を示す図２と同様の図。
【符号の説明】
【００３１】
Ｓ              湿式筆記具
１０            密閉キャップ
１０ａ          端部
１０ｂ          側壁
１０ｃ          中空スペース
１０ｄ          キャップ入口開口部（挿入開口部）
１０ｅ          分離壁
１０ｆ          穴
２０            分離接合部
３０            軸
３０ａ          端部
３０ｂ          側壁
３０ｃ          中空スペース
３０ｄ          防護壁
３０ｅ          円形開口部
３２            毛管ペン先
３２ａ、３２ｂ  筆記液誘引要素
【図１】
2004338374.tif 000003
【図２】
2004338374.tif 000004
【図３】
2004338374.tif 000005